(57)【要約】【課題】特にエンジンオイルの排出量を多段階で選択できる多段階式可変容量形オイルポンプを提供する。【解決手段】本発明に係る多段階式可変容量形オイルポンプは、ポンプハウジングを備え、該ポンプハウジングの内部に加圧部材と、調整弁と、調整弁が設置され、該ポンプハウジングの流出区域での油圧変化により加圧部材を回転させると共に、調整弁を移動させるため、流出区域のオイルを加圧して流入区域に逆流することができ、また、ポンプハウジングに案内流路と、連通穴と、逆流穴などが形成されると共に、調整弁及び調整弁が設置され、そのため、調整弁が加圧部材を駆動すると、油圧を調節することはでき、さらに、実際の使用状態に応じて調整弁を移動することによって、流入区域と流出区域とのオイルを逆流手段によって調節することができる。【選択図】図１
2018115571.tif 000002
【特許請求の範囲】
【請求項１】
ポンプハウジングと、加圧部材と、調整弁と、駆動弁を有し、
前記ポンプハウジングの一方に、流入口と、流出流路と、流入区域と、流出区域と、案内流路と、第一連通流路と、第一チャンバーと、複数の逆流穴と、複数の連通穴が形成され、そのうち、前記流入口及び流出流路はそれぞれ、ポンプハウジングの内部と連通するように該ポンプハウジングに形成され、前記流入区域が流入口と対応するようにポンプハウジングの内部に形成され、前記流出区域が流出流路と対応するようにポンプハウジングの内部に形成され、前記案内流路及び第一連通流路が間隔をおいて配置されると共に、複数の連通穴を介して互いに連通し、前記第一連通流路が第一チャンバーと連通すると共に、ポンプハウジングの内部に凹設され、前記第一チャンバーが複数の逆流穴を介して流入区域と連通し、
前記ポンプハウジングの他方に、収容部と、第二連通流路と、第二チャンバーと、連通開口が形成され、そのうち、前記第二連通流路は、収容部と連通すると共に、第二チャンバーと連通し、前記第二チャンバーは、連通開口を介して収容部と連通し、
前記加圧部材は、回転可能にポンプハウジングの内部に設置され、第二チャンバー及び連通開口と対応するように配置され、
前記調整弁は、第一連通流路を密封するように移動可能にポンプハウジングの第一チャンバーに嵌め込まれ、その外周面における、複数の逆流穴及び複数の連通穴と対応する箇所に環状凹部が凹設され、
前記駆動弁は、第二連通流路を密封するように移動可能にポンプハウジングの第二チャンバーに嵌め込まれ、連通開口を介して加圧部材に組み合わされることを特徴とする、
多段階式可変容量形オイルポンプ。
【請求項２】
前記ポンプハウジングは、第一殻部及び第二殻部を含み、前記第一殻部は、流入口と、流入タンクと、流出タンクと、案内流路と、第一連通流路と、第一チャンバーと、第一段差部と、逆流路と、複数の逆流穴と、複数の連通穴を備え、そのうち、流入口は、第一殻部に形成され、該流入タンクは、流入口と連通すると共に、第一殻部に凹設され、該流出タンクは、流入タンクと間隔をおいて第一殻部に凹設され、該案内流路は、流出タンクと連通すると共に、第一殻部に凹設され、該第一連通流路は、流出タンクと連通すると共に、第一殻部の内部に凹設され、該第一チャンバーは、第一殻部に凹設され、該第一段差部は、第一連通流路と第一チャンバーとが接する箇所に形成され、また、前記調整弁の内端が第一段差部に当接して第一連通流路を密封し、該逆流路は、流入タンクと連通すると共に、第一殻部に凹設され、該複数の逆流穴の数量は２つであり、該２つの逆流穴はそれぞれ、流入タンクと第一チャンバーとを連通させるために、間隔をおいて逆流路まで連通するように第一殻部に形成され、該複数の連通穴の数量は２つであり、該２つの連通穴はそれぞれ、案内流路と第一連通流路とを連通させるために、間隔をおいて案内流路と第一連通流路との間に形成され、且つそれぞれ連通穴と対応するように配列され、前記第二殻部は、着脱可能に第一殻部に組み合わされ、流出流路と、第二連通流路と、第二チャンバーと、第二段差部と、連通開口を備え、そのうち、流出流路は、第二殻部に形成され、該収容部は、該収容部は、第一殻部の流入タンク及び流出タンクに向かうように第二殻部に凹設され、流出流路と連通する流出部を備え、該収容部と流入タンクとの対応する部分が流入区域を構成し、前記流出部と流出タンクとの対応する部分が流出区域を構成し、また、前記加圧部材は、ポンプハウジングの収容部に設置され、該第二連通流路は、流出部と連通すると共に、第二殻部に凹設され、該第二チャンバーは、第二殻部に凹設され、該連通開口は、第二チャンバーと収容部とを連通させるように第二殻部に形成され、該第二段差部は、第二連通流路と第二チャンバーとが接する箇所に形成され、前記駆動弁は、第二段差部に当接して第二連通流路を密封することを特徴とする請求項１に記載の多段階式可変容量形オイルポンプ。
【請求項３】
前記加圧部材は、偏心リングと、アウターロータと、インナーロータを備え、該偏心リングは、中空状のリングであり、その内周縁が中空状かつ偏心位置に設けられ、回転可能にポンプハウジングの収容部に嵌め込まれて、連通開口を介して前記駆動弁に組み合わされ、該アウターロータは、中空状を呈し、偏心リングの中空状の偏心位置に嵌合されると共に、その外周面が偏心リングの内周面に当接され、その内周縁に複数の内歯部が間隔をおいて凸設され、一方、インナーロータは、中空状を呈し、回転可能にアウターロータの中空状の内部に嵌め込まれ、その外周面に複数の外歯部が間隔をおいて凸設され、その一部の外歯部がアウターロータの一部の内歯部に噛合されることを特徴とする請求項１または２に記載の多段階式可変容量形オイルポンプ。
【請求項４】
前記加圧部材における偏心リングの外周面に、ポンプハウジングの連通開口と対応する外周歯部が設けられ、前記駆動弁における、第二殻部の連通開口と対応する箇所に駆動ラックが設けられ、該駆動ラックが連通開口を介して偏心リングの外周歯部に噛合されることを特徴とする請求項３に記載の多段階式可変容量形オイルポンプ。
【請求項５】
前記調整弁は、調節リングと、調節栓と、調節バネと、調節ピストンを有し、そのうち調節リングは、ポンプハウジングの第一チャンバーの内壁に当接するように、第一チャンバーの第一連通流路と反対する側に嵌め込まれ、該調節栓は、調節リングに当接するように、第一チャンバーに嵌め込まれ、該調節バネは、一端が調節栓に当接するように、第一チャンバーに取り付けられ、該調節ピストンは、その外周面が第一チャンバーの内周面に当接するように、移動可能に第一チャンバーに貫設され、その外周面に環状凹部が径方向に凹設され、その内端により第一連通流路を密封し、その外端に凹部が凹設され、また、前記調節バネの他端が調節ピストンの凹部に嵌め込まれることを特徴とする請求項４に記載の多段階式可変容量形オイルポンプ。
【請求項６】
前記駆動弁は、駆動リングと、駆動栓と、駆動バネと、駆動ピストンを備え、そのうち駆動リングは、ポンプハウジングの第二チャンバーの内壁に当接すると共に、第二チャンバーの第二連通流路と反対する側に嵌め込まれ、該駆動栓は、駆動リングに当接すると共に、第二チャンバーに嵌め込まれ、該駆動バネの一端が駆動栓に当接するように第二チャンバーに取り付けられ、前記駆動ピストンは、その外周面が第二チャンバーの内周面に当接すると共に、移動可能に第二チャンバーに貫設され、その外周面に駆動ラックが長手方向に設けられ、その内端により第二連通流路を密封し、その外端に凹部が凹設され、また、前記駆動バネの他端が駆動ピストンの凹部に嵌め込まれることを特徴とする請求項４に記載の多段階式可変容量形オイルポンプ。
【請求項７】
前記調整弁は、調節リングと、調節栓と、調節バネと、調節ピストンを有し、そのうち調節リングは、第一殻部の第一チャンバーの内壁に当接するように、第一チャンバーの第一連通流路と反対する側に嵌め込まれ、該調節栓は、調節リングに当接するように、第一チャンバーに嵌め込まれ、該調節バネは、一端が調節栓に当接するように第一チャンバーに取り付けられ、該調節ピストンは、その外周面が第一チャンバーの内周面に当接するように、移動可能に第一チャンバーに貫設され、その外周面に環状凹部が径方向に凹設され、該調節ピストンにおける内端が第一段差部に当接され、外端に凹部が凹設され、また、前記調節バネの他端が調節ピストンの凹部に嵌め込まれることを特徴とする請求項２に記載の多段階式可変容量形オイルポンプ。
【請求項８】
前記駆動弁は、駆動リングと、駆動栓と、駆動バネと、駆動ピストンを備え、そのうち駆動リングは、第二殻部の第二チャンバーの内壁に当接するように、第二チャンバーの第二連通流路と反対する側に嵌め込まれ、該駆動栓は、駆動リングに当接するように、第二チャンバーに嵌め込まれ、該駆動バネは、一端が駆動栓に当接するように、第二チャンバーに取り付けられ、前記駆動ピストンは、外周面が第二チャンバーの内周面に当接するように、移動可能に第二チャンバーに貫設され、その外周面に駆動ラックが長手方向に設けられ、該駆動ピストンにおける内端が第二段差部に当接され、外端に凹部が凹設され、また、前記駆動バネの他端が駆動ピストンの凹部に嵌め込まれることを特徴とする請求項２に記載の多段階式可変容量形オイルポンプ。
【発明の詳細な説明】
【技術分野】
【０００１】
本発明は、特にエンジンオイルの排出量を多段階で選択できるエンジンオイルポンプに関するものである。
【背景技術】
【０００２】
エンジンオイルポンプは、潤滑油を圧送するための送液装置であり、通常は、稼働部材の内部まで潤滑油を送るために使用するものであり、例えば、タービン軸受の潤滑用または冷却用、または、往復式マシンのピストンとシリンダとの潤滑用またはクリーニング用に使用される。
【０００３】
既存のオイルポンプには、例えば、台湾特許第Ｉ１０３１３３１５３号の「流量の調整可能なオイルポンプ」がある。その構造は、互いに連接している第一ポンプハウジング及び第二ポンプハウジングを備え、該第二ポンプハウジングの内部に調節弁ユニット及び加圧ユニットが設置され、加圧ユニットの偏心輪が調節弁ユニットのプラグ部に噛合されることによって、調節弁ユニットのプラグ部が偏心輪を駆動して回転させ、これによって、オイルの流出量をコントロールするので、流量調節用の伝動部材を減少させることができると共に、生産コストを減らして組立ての手間を省くことができ、調節弁ユニットと加圧ユニットとの伝動効率を向上させることができる。
【先行技術文献】
【特許文献】
【０００４】
【特許文献１】台湾特許第Ｉ１０３１３３１５３号
【発明の概要】
【発明が解決しようとする課題】
【０００５】
しかしながら、既存のオイルポンプは、流量調節のための技術手段を単一化することから、実際の需要に応じて適当な油圧または流出量に調整することができないので、改良する必要があった。
【課題を解決するための手段】
【０００６】
本発明に係る多段階式可変容量形オイルポンプは、ポンプハウジングと、加圧部材と、調整弁と、駆動弁を有し、前記ポンプハウジングの一方に、流入口と、流出流路と、流入区域と、流出区域と、案内流路と、第一連通流路と、第一チャンバーと、複数の逆流穴と、複数の連通穴が形成され、そのうち、前記流入口及び流出流路はそれぞれ、ポンプハウジングの内部と連通するように該ポンプハウジングに形成され、前記流入区域が流入口と対応するようにポンプハウジングの内部に形成され、前記流出区域が流出流路と対応するようにポンプハウジングの内部に形成され、前記案内流路及び第一連通流路が間隔をおいて配置されると共に、複数の連通穴を介して互いに連通し、前記第一連通流路が第一チャンバーと連通すると共に、ポンプハウジングの内部に凹設され、前記第一チャンバーが複数の逆流穴を介して流入区域と連通し、前記ポンプハウジングの他方に、収容部と、第二連通流路と、第二チャンバーと、連通開口が形成され、そのうち、前記第二連通流路は、収容部と連通すると共に、第二チャンバーと連通し、前記第二チャンバーは、連通開口を介して収容部と連通し、前記加圧部材は、回転可能にポンプハウジングの内部に設置され、第二チャンバー及び連通開口と対応するように配置され、前記調整弁は、第一連通流路を密封するように移動可能にポンプハウジングの第一チャンバーに嵌め込まれ、その外周面における、複数の逆流穴及び複数の連通穴と対応する箇所に環状凹部が凹設され、前記駆動弁は、第二連通流路を密封するように移動可能にポンプハウジングの第二チャンバーに嵌め込まれ、連通開口を介して加圧部材に組み合わされるものである。
【発明の効果】
【０００７】
本発明に係る多段階式可変容量形オイルポンプによれば、ポンプハウジングの案内流路、２つの逆流穴、２つの連通穴などによりオイルの流路を構成すると共に、調整弁及び駆動弁が設置されることから、該駆動弁により加圧部材を駆動させれば、第一段階油圧及び流出量の変化区域における流出口油圧及び流出口流出量を調節できる。
また、実際のオイル必要量に応じて操作性能曲線を、第二段階油圧及び流出量の変化区域、流出口の流出量の増量区域、第三段階油圧及び流出量の変化区域などの異なる状態に区画する。その調整弁が流出区域の流出口油圧及び流出口流出量の変化によって移動することから、流出区域と流入区域とのオイルを逆流手段によって調節することができる。したがって、本発明に係る多段階式可変容量形オイルポンプは、実際の需要に応じて流出口油圧及び流出口流出量を多段階で調節することができる。
【図面の簡単な説明】
【０００８】
【図１】本発明の斜視図である。
【図２】本発明の部分分解斜視図である。
【図３】本発明の他の部分分解斜視図である。
【図４】本発明の底面図である。
【図５】図４のＡ−Ａ線の断面図である。
【図６】図５のＢ−Ｂ線の断面図である。
【図７】図４のＣ−Ｃ線の断面図である。
【図８】第一段階油圧及び流出量の変化状態を表するための、図７の多段階式可変容量形オイルポンプを作動した状態の断面図である。
【図９】第二段階油圧及び流出量の変化状態を表するための、図５の多段階式可変容量形オイルポンプを作動した状態の断面図である。
【図１０】第二段階油圧及び流出量の変化状態を表するための、図６の多段階式可変容量形オイルポンプを作動した状態の断面図である。
【図１１】流出口の流出量の増量を表するための、図９の多段階式可変容量形オイルポンプを作動した状態の断面図である。
【図１２】流出口の流出量の増量状態を表するための、図１０の多段階式可変容量形オイルポンプを作動した状態の断面図である。
【図１３】第三段階油圧及び流出量の変化状態を表するための、図１１の多段階式可変容量形オイルポンプを作動した状態の断面図である。
【図１４】第三段階油圧及び流出量の変化状態を表するための、図１２の多段階式可変容量形オイルポンプを作動した状態の断面図である。
【図１５】本発明に係る多段階式可変容量形オイルポンプにおける油圧及び流出量と回転速度の変化を表した操作性能グラフである。
【発明を実施するための形態】
【０００９】
以下、添付図面を参照して本発明の適切な実施の形態を詳細に説明する。
【００１０】
図１、図２、図４に示すように、本発明に係る多段階式可変容量形オイルポンプは、ポンプハウジング１０と、加圧部材２０と、調整弁３０と、駆動弁４０を有する。
図３、図５、図６に示すように、前記ポンプハウジング１０は、第一殻部１１及び第二殻部１２を含み、また、該ポンプハウジング１０の内部に流入区域１０３及び流出区域１０４が形成される。
【００１１】
前記第一殻部１１は、流入口１０１と、流入タンク１１１と、流出タンク１１２と、案内流路１１３と、第一連通流路１１４と、第一チャンバー１１５と、第一段差部１１６と、逆流路１１７と、２つの逆流穴１１８と、２つの連通穴１１９を備える。そのうち、流入口１０１は、第一殻部１１に形成され、該流入タンク１１１は、流入口１０１と連通すると共に、第一殻部１１に凹設され、該流出タンク１１２は、流入タンク１１１と間隔をおいて第一殻部１１に凹設され、該案内流路１１３は、流出タンク１１２と連通すると共に、第一殻部１１に凹設され、該第一連通流路１１４は、流出タンク１１２と連通すると共に、第一殻部１１の内部に凹設され、該第一チャンバー１１５は、第一連通流路１１４と連通すると共に、第一殻部１１に凹設され、該第一段差部１１６は、第一連通流路１１４と第一チャンバー１１５と接する箇所に形成され、該逆流路１１７は、流入タンク１１１と連通すると共に、第一殻部１１に凹設され、該２つの逆流穴１１８はそれぞれ、流入タンク１１１と第一チャンバー１１５とを連通させるために、間隔をおいて逆流路１１７と連通するように第一殻部１１に形成され、前記第一チャンバー１１５は、逆流穴１１８を介して流入区域１０３と連通し、該２つの連通穴１１９はそれぞれ、間隔をおいて案内流路１１３と第一連通流路１１４とを連通させるために案内流路１１３と第一連通流路１１４との間に形成され、それぞれ逆流穴１１８と対応するように配列される。
【００１２】
尚、図２、図６、図７の本実施例に示すように、前記第二殻部１２は、着脱可能に第一殻部１１に組み合わされ、第二殻部１２が複数のネジにより第一殻部１１に組み合わされることが好ましい。また、前記第二殻部１２は、流出流路１０２と、収容部１２１と、第二連通流路１２２と、第二チャンバー１２３と、第二段差部１２４と、連通開口１２５を備え、そのうち、流出流路１０２は、第二殻部１２に形成され、該収容部１２１は、第二殻部１２に凹設され、流出流路１０２と連通する流出部１２０を備える。
図２及び図３に示すように、前記収容部１２１は、第一殻部１１の流入タンク１１１及び流出タンク１１２に向かうように形成され、該収容部１２１と流入タンク１１１との対応する部分が流入区域１０３を構成し、その流入区域１０３は、が流入口１０１と対応するように形成される。また、前記流出部１２０と流出タンク１１２との対応する部分が流出区域１０４を構成し、その流出区域１０４は、流出流路１０２と連通するように形成される。
【００１３】
前記第二連通流路１２２は、収容部１２１及び流出部１２０と連通すると共に、第二殻部１２に凹設され、前記第二チャンバー１２３は、第二連通流路１２２と連通すると共に、第二殻部１２に凹設され、前記第二段差部１２４は、第二連通流路１２２と第二チャンバー１２３とが接する箇所に形成され、前記連通開口１２５は、第二チャンバー１２３と収容部１２１とを連通させるように第二殻部１２に形成される。
【００１４】
図２及び図７に示すように、前記加圧部材２０は、回転可能にポンプハウジング１０の収容部１２１に設置され、第二チャンバー１２３及び連通開口１２５と対応するように配置され、偏心リング２１と、アウターロータ２２と、インナーロータ２３を備える。
該偏心リング２１は、中空状のリングであり、その内周縁が中空状かつ偏心位置に設けられ、回転可能にポンプハウジング１０の収容部１２１に嵌め込まれ、その外周面に連通開口１２５と対応する外周歯部２１１が設けられる。該アウターロータ２２は、中空状を呈し、偏心リング２１の偏心穴に嵌合されると共に、該アウターロータ２２の外周面が偏心リング２１の内周面に当接され、該アウターロータ２２の内周縁に複数の内歯部が間隔をおいて凸設される。一方、インナーロータ２３は、中空状を呈し、回転可能にアウターロータ２２の中空状の内部に嵌め込まれ、該インナーロータ２３の外周面に複数の外歯部が間隔をおいて凸設され、該インナーロータ２３の一部の外歯部は、アウターロータ２２の一部の内歯部に噛合可能である。
【００１５】
図４乃至図６に示すように、前記調整弁３０は、第一連通流路１１４を密封するように移動可能に第一殻部１１の第一チャンバー１１５に嵌め込まれ、調節リング３１と、調節栓３２と、調節バネ３３と、調節ピストン３４を有する。
そのうち調節リング３１は、第一殻部１１の第一チャンバー１１５の内壁に当接するように、第一チャンバー１１５の第一連通流路１１４と反対する側に嵌め込まれる。該調節栓３２は、調節リング３１に当接するように、第一チャンバー１１５に嵌め込まれる。該調節バネ３３は、一端が調節栓３２に当接するように、第一チャンバー１１５に取り付けられる。該調節ピストン３４は、外周面を介して第一チャンバー１１５の内周面に当接するように、移動可能に第一チャンバー１１５に貫設される。
そして、該調節ピストン３４の内端が第一段差部１１６に当接することにより第一連通流路１１４を密封し、更に、該調節ピストン３４の外端に凹部が凹設され、前記調節バネ３３の他端が調節ピストン３４の凹部に嵌め込まれ、該調節ピストン３４の外周面における、第一殻部１１の逆流穴１１８及び連通穴１１９と対応する箇所に環状凹部３４１が径方向に凹設される。
【００１６】
図２、図４、図７に示すように、前記駆動弁４０は、第二連通流路１２２を密封するように移動可能に第二殻部１２の第二チャンバー１２３に嵌め込まれ、且つ連通開口１２５を介して加圧部材２０に組み合わされ、駆動リング４１と、駆動栓４２と、駆動バネ４３と、駆動ピストン４４を備える。
そのうち駆動リング４１は、第二殻部１２の第二チャンバー１２３の内壁に当接するように、第二チャンバー１２３の第二連通流路１２２と反対する側に嵌め込まれる。該駆動栓４２は、駆動リング４１に当接するように、第二チャンバー１２３に嵌め込まれる。該駆動バネ４３は、一端が駆動栓４２と当接するように、第二チャンバー１２３に取り付けられる。該駆動ピストン４４は、外周面を介して第二チャンバー１２３の内周面に当接するように、移動可能に第二チャンバー１２３に貫設される。
そして、該駆動ピストン４４の内端が第二段差部１２４に当接することにより第二連通流路１２２を密封し、該駆動ピストン４４の外端に凹部が凹設され、前記駆動バネ４３の他端が駆動ピストン４４の凹部に嵌め込まれる。また、該駆動ピストン４４の外周面における、第二殻部１２の連通開口１２５と対応する箇所に駆動ラック４４１が長手方向に設けられ、該駆動ラック４４１が連通開口１２５を介して偏心リング２１の外周歯部２１１に噛合される。
【００１７】
本発明に係る多段階式可変容量形オイルポンプの操作時には、インナーロータ２３及びアウターロータ２２が同一方向へ回転し、アウターロータ２２の外周面が偏心リング２１の内周面に当接するが、偏心リング２１が駆動ピストン４４に噛合されることから、アウターロータ２２が回転しても偏心リング２１は回転しない。
【００１８】
図５乃至図７に示すのは、通常の状態で使用する本発明に係る多段階式可変容量形オイルポンプである。この場合、流出区域１０４の送液圧力を通常の使用状態にし、調節ピストン３４が調節バネ３３の勢付力によって第一段差部１１６に押付けられると共に、駆動ピストン４４が駆動バネ４３の勢付力によって第二段差部１２４に押付けられ、すなわち、送液圧力及び流出量を調整することはない状態である。
【００１９】
図８及び図１５に示すように、必要に応じて、操作性能曲線を第一段階油圧及び流出量の変化区域５０１となるように、流出区域１０４の流出口油圧５１及び流出口流出量５２を上昇させると、流出区域１０４の加圧オイルが第二連通流路１２２を通過して駆動ピストン４４の内端を押圧して駆動バネ４３の勢付力に抵抗し、駆動ピストン４４が第二段差部１２４から離れて駆動栓４２に当接するまで駆動栓４２へ移動させる。この時、駆動ピストン４４は偏心リング２１に噛合されることから、偏心リング２１が所定の角度に回転し、アウターロータ２２とインナーロータ２３との噛合状態が変化すると、アウターロータ２２の内歯部とインナーロータ２３の外歯部との隙間も変化するので、アウターロータ２２及びインナーロータ２３を回転させることにより加圧オイルの流出量を調節することができる。
【００２０】
図９、図１０、図１５に示すように、必要に応じて、操作性能曲線を第二段階油圧及び流出量の変化区域５０２にすると、（すなわち、実際のオイルの必要量が第一段階油圧及び流出量の変化区域５０１によりも少なくなる）、流出区域１０４の流出口油圧５１を、第一段階油圧及び流出量の変化区域５０１の流出口油圧５１よりもやや高くする。
また、図８に示すように、駆動ピストン４４を駆動栓４２に押付ける状態にし、流出区域１０４の加圧オイルで調節ピストン３４の内端を押圧して第一段差部１１６から離間させると、環状凹部３４１が一方の連通穴１１９に対応することから、流出区域１０４の一部の加圧オイルが順次に案内流路１１３、連通穴１１９、環状凹部３４１、一方の逆流穴１１８、逆流路１１７を通過して流入区域１０３に戻り、図３に示すように、流出区域１０４のオイルを流入区域１０３に引き返すことによって、第二段階油圧及び流出量の変化区域５０２の状態でのそれぞれの回転速度に応じて、流出口油圧５１及び流出口流出量５２を調節することができる。
【００２１】
図１１、図１２、図１５に示すように、オイルの流出量をさらに上昇させる場合には、操作性能曲線が流出口の流出量の増量区域５０３となり、この時、流出区域１０４の加圧オイルがさらに調節ピストン３４を押圧すると、調節ピストン３４を調節栓３２へ移動させて、環状凹部３４１を連通穴１１９から離間させる。
これにより、調節ピストン３４が案内流路１１３を密封すると共に、加圧オイルが逆流穴１１８を通過して流入区域１０３に引き返すことから、流出区域１０４の流出口油圧５１及び流出口流出量５２を調整により大幅に増加させることができるので、需要に十分に応えることができる。
【００２２】
一方、図１３乃至図１５に示すように、需要がやや減った場合には、操作性能曲線が第三段階油圧及び流出量の変化区域５０４となる。この時、流出口油圧５１及び流出口流出量５２は、流出口の流出量の増量区域５０３の状態よりも高いが、流出区域１０４の加圧オイルが調節ピストン３４を調節栓３２に当接するまで押圧することによって、調節ピストン３４が他方の連通穴１１９の一部を遮蔽しないため、案内流路１１３の加圧オイルが他方の連通穴１１９を通過して他方の逆流穴１１８から流入区域１０３まで引き返す。これと同時に、第一チャンバー１１５の加圧オイルも一方の逆流穴１１８を介して流入区域１０３に引き返すことから、流出口油圧５１及び流出口流出量５２を需要に応じて調節することができる。
【００２３】
本発明に係る多段階式可変容量形オイルポンプは、ポンプハウジング１０の案内流路１１３、２つの逆流穴１１８、２つの連通穴１１９などによりオイル通路を構成すると共に、調整弁３０及び駆動弁４０が設置されることから、該駆動弁４０により加圧部材２０を駆動させれば、第一段階油圧及び流出量の変化区域５０１における流出口油圧５１及び流出口流出量５２を調節できる。
また、実際のオイル必要量に応じて操作性能曲線を、第二段階油圧及び流出量の変化区域５０２、流出口の流出量の増量区域５０３、第三段階油圧及び流出量の変化区域５０４などの異なる状態に区画する。その調整弁３０が流出区域１０４の流出口油圧５１及び流出口流出量５２の変化によって移動することから、流出区域１０４と流入区域１０３とのオイルを逆流手段によって調節することができる。したがって、本発明に係る多段階式可変容量形オイルポンプによれば、需要に応じて流出口油圧５１及び流出口流出量５２を多段階で調節可能である。
【符号の説明】
【００２４】
１０    ポンプハウジング
１０１  流入口
１０２  流出流路
１０３  流入区域
１０４  流出区域
１１    第一殻部
１１１  流入タンク
１１２  流出タンク
１１３  案内流路
１１４  第一連通流路
１１５  第一チャンバー
１１６  第一段差部
１１７  逆流路
１１８  逆流穴
１１９  連結穴
１２    第二殻部
１２０  流出部
１２１  収容部
１２２  第二連通流路
１２３  第二チャンバー
１２４  第二段差部
１２５  連通開口
２０    加圧部材
２１    偏心リング
２２    アウターロータ
２３    インナーロータ
３０    調整弁
３１    調節リング
３２    調節栓
３３    調節バネ
３４    調節ピストン
３４１  環状凹部
４０    駆動弁
４１    駆動リング
４２    駆動栓
４３    駆動バネ    
４４    駆動ピストン
４４１  駆動ラック
５０１  第一段階油圧及び流出量の変化区域
５０２  第二段階油圧及び流出量の変化区域
５０３  流出口の流出量の増量区域
５０４  第三段階油圧及び流出量の変化区域
５１    流出口油圧
５２    流出口流出量
【図１】
2018115571.tif 000003
【図２】
2018115571.tif 000004
【図３】
2018115571.tif 000005
【図４】
2018115571.tif 000006
【図５】
2018115571.tif 000007
【図６】
2018115571.tif 000008
【図７】
2018115571.tif 000009
【図８】
2018115571.tif 000010
【図９】
2018115571.tif 000011
【図１０】
2018115571.tif 000012
【図１１】
2018115571.tif 000013
【図１２】
2018115571.tif 000014
【図１３】
2018115571.tif 000015
【図１４】
2018115571.tif 000016
【図１５】
2018115571.tif 000017
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ポンプハウジングと、加圧部材と、調整弁と、駆動弁を有し、
前記ポンプハウジングの一方に、流入口と、流出流路と、流入区域と、流出区域と、案内流路と、第一連通流路と、第一チャンバーと、複数の逆流穴と、複数の連通穴が形成され、そのうち、前記流入口及び流出流路はそれぞれ、ポンプハウジングの内部と連通するように該ポンプハウジングに形成され、前記流入区域が流入口と対応するようにポンプハウジングの内部に形成され、前記流出区域が流出流路と対応するようにポンプハウジングの内部に形成され、前記案内流路及び第一連通流路が間隔をおいて配置されると共に、複数の連通穴を介して互いに連通し、前記第一連通流路が第一チャンバーと連通すると共に、ポンプハウジングの内部に凹設され、前記第一チャンバーが複数の逆流穴を介して流入区域と連通し、
前記ポンプハウジングの他方に、収容部と、第二連通流路と、第二チャンバーと、連通開口が形成され、そのうち、前記第二連通流路は、収容部と連通すると共に、第二チャンバーと連通し、前記第二チャンバーは、連通開口を介して収容部と連通し、
前記加圧部材は、回転可能にポンプハウジングの内部に設置され、第二チャンバー及び連通開口と対応するように配置され、
前記調整弁は、第一連通流路を密封するように移動可能にポンプハウジングの第一チャンバーに嵌め込まれ、その外周面における、複数の逆流穴及び複数の連通穴と対応する箇所に環状凹部が凹設され、
前記駆動弁は、第二連通流路を密封するように移動可能にポンプハウジングの第二チャンバーに嵌め込まれ、連通開口を介して加圧部材に組み合わされることを特徴とする、
多段階式可変容量形オイルポンプ。
【請求項２】
前記ポンプハウジングは、第一殻部及び第二殻部を含み、前記第一殻部は、流入口と、流入タンクと、流出タンクと、案内流路と、第一連通流路と、第一チャンバーと、第一段差部と、逆流路と、複数の逆流穴と、複数の連通穴を備え、そのうち、流入口は、第一殻部に形成され、該流入タンクは、流入口と連通すると共に、第一殻部に凹設され、該流出タンクは、流入タンクと間隔をおいて第一殻部に凹設され、該案内流路は、流出タンクと連通すると共に、第一殻部に凹設され、該第一連通流路は、流出タンクと連通すると共に、第一殻部の内部に凹設され、該第一チャンバーは、第一殻部に凹設され、該第一段差部は、第一連通流路と第一チャンバーとが接する箇所に形成され、また、前記調整弁の内端が第一段差部に当接して第一連通流路を密封し、該逆流路は、流入タンクと連通すると共に、第一殻部に凹設され、該複数の逆流穴の数量は２つであり、該２つの逆流穴はそれぞれ、流入タンクと第一チャンバーとを連通させるために、間隔をおいて逆流路まで連通するように第一殻部に形成され、該複数の連通穴の数量は２つであり、該２つの連通穴はそれぞれ、案内流路と第一連通流路とを連通させるために、間隔をおいて案内流路と第一連通流路との間に形成され、且つそれぞれ逆流穴と対応するように配列され、前記第二殻部は、着脱可能に第一殻部に組み合わされ、流出流路と、第二連通流路と、第二チャンバーと、第二段差部と、連通開口を備え、そのうち、流出流路は、第二殻部に形成され、該収容部は、第一殻部の流入タンク及び流出タンクに向かうように第二殻部に凹設され、流出流路と連通する流出部を備え、該収容部と流入タンクとの対応する部分が流入区域を構成し、前記流出部と流出タンクとの対応する部分が流出区域を構成し、また、前記加圧部材は、ポンプハウジングの収容部に設置され、該第二連通流路は、流出部と連通すると共に、第二殻部に凹設され、該第二チャンバーは、第二殻部に凹設され、該連通開口は、第二チャンバーと収容部とを連通させるように第二殻部に形成され、該第二段差部は、第二連通流路と第二チャンバーとが接する箇所に形成され、前記駆動弁は、第二段差部に当接して第二連通流路を密封することを特徴とする請求項１に記載の多段階式可変容量形オイルポンプ。
【請求項３】
前記加圧部材は、偏心リングと、アウターロータと、インナーロータを備え、該偏心リングは、中空状のリングであり、その内周縁が中空状かつ偏心位置に設けられ、回転可能にポンプハウジングの収容部に嵌め込まれて、連通開口を介して前記駆動弁に組み合わされ、該アウターロータは、中空状を呈し、偏心リングの中空状の偏心位置に嵌合されると共に、その外周面が偏心リングの内周面に当接され、その内周縁に複数の内歯部が間隔をおいて凸設され、一方、インナーロータは、中空状を呈し、回転可能にアウターロータの中空状の内部に嵌め込まれ、その外周面に複数の外歯部が間隔をおいて凸設され、その一部の外歯部がアウターロータの一部の内歯部に噛合されることを特徴とする請求項１または２に記載の多段階式可変容量形オイルポンプ。
【請求項４】
前記加圧部材における偏心リングの外周面に、ポンプハウジングの連通開口と対応する外周歯部が設けられ、前記駆動弁における、第二殻部の連通開口と対応する箇所に駆動ラックが設けられ、該駆動ラックが連通開口を介して偏心リングの外周歯部に噛合されることを特徴とする請求項３に記載の多段階式可変容量形オイルポンプ。
【請求項５】
前記調整弁は、調節リングと、調節栓と、調節バネと、調節ピストンを有し、そのうち調節リングは、ポンプハウジングの第一チャンバーの内壁に当接するように、第一チャンバーの第一連通流路と反対する側に嵌め込まれ、該調節栓は、調節リングに当接するように、第一チャンバーに嵌め込まれ、該調節バネは、一端が調節栓に当接するように、第一チャンバーに取り付けられ、該調節ピストンは、その外周面が第一チャンバーの内周面に当接するように、移動可能に第一チャンバーに貫設され、その外周面に環状凹部が径方向に凹設され、その内端により第一連通流路を密封し、その外端に凹部が凹設され、また、前記調節バネの他端が調節ピストンの凹部に嵌め込まれることを特徴とする請求項４に記載の多段階式可変容量形オイルポンプ。
【請求項６】
前記駆動弁は、駆動リングと、駆動栓と、駆動バネと、駆動ピストンを備え、そのうち駆動リングは、ポンプハウジングの第二チャンバーの内壁に当接すると共に、第二チャンバーの第二連通流路と反対する側に嵌め込まれ、該駆動栓は、駆動リングに当接すると共に、第二チャンバーに嵌め込まれ、該駆動バネの一端が駆動栓に当接するように第二チャンバーに取り付けられ、前記駆動ピストンは、その外周面が第二チャンバーの内周面に当接すると共に、移動可能に第二チャンバーに貫設され、その外周面に駆動ラックが長手方向に設けられ、その内端により第二連通流路を密封し、その外端に凹部が凹設され、また、前記駆動バネの他端が駆動ピストンの凹部に嵌め込まれることを特徴とする請求項４に記載の多段階式可変容量形オイルポンプ。
【請求項７】
前記調整弁は、調節リングと、調節栓と、調節バネと、調節ピストンを有し、そのうち調節リングは、第一殻部の第一チャンバーの内壁に当接するように、第一チャンバーの第一連通流路と反対する側に嵌め込まれ、該調節栓は、調節リングに当接するように、第一チャンバーに嵌め込まれ、該調節バネは、一端が調節栓に当接するように第一チャンバーに取り付けられ、該調節ピストンは、その外周面が第一チャンバーの内周面に当接するように、移動可能に第一チャンバーに貫設され、その外周面に環状凹部が径方向に凹設され、該調節ピストンにおける内端が第一段差部に当接され、外端に凹部が凹設され、また、前記調節バネの他端が調節ピストンの凹部に嵌め込まれることを特徴とする請求項２に記載の多段階式可変容量形オイルポンプ。
【請求項８】
前記駆動弁は、駆動リングと、駆動栓と、駆動バネと、駆動ピストンを備え、そのうち駆動リングは、第二殻部の第二チャンバーの内壁に当接するように、第二チャンバーの第二連通流路と反対する側に嵌め込まれ、該駆動栓は、駆動リングに当接するように、第二チャンバーに嵌め込まれ、該駆動バネは、一端が駆動栓に当接するように、第二チャンバーに取り付けられ、前記駆動ピストンは、外周面が第二チャンバーの内周面に当接するように、移動可能に第二チャンバーに貫設され、その外周面に駆動ラックが長手方向に設けられ、該駆動ピストンにおける内端が第二段差部に当接され、外端に凹部が凹設され、また、前記駆動バネの他端が駆動ピストンの凹部に嵌め込まれることを特徴とする請求項２に記載の多段階式可変容量形オイルポンプ。